(57)【要約】【課題】電気脱イオン装置を用い、電気脱イオンによる純水製造と、イオン交換による純水製造とを実行できるようにすることを目的とする。【解決手段】陽極３２と陰極３１との間にイオン交換膜３３’，３４，３３を配置することにより、濃縮室兼陰極室３５、脱塩室３７及び陽極側濃縮室４０を設け、各室にイオン交換樹脂を充填してなる電気脱イオン装置を有する純水製造装置において、通電を停止するかもしくは電流密度が１０００ｍＡ／ｄｍ２以下になるように通電制御した状態で脱塩室３７に被処理水を通水し、該脱塩室３７内のイオン交換樹脂３８，３９によってイオン交換して該脱塩室３７から純水を流出させる。【選択図】図３
2008161761.tif 000002
【特許請求の範囲】
【請求項１】
陽極と陰極との間にイオン交換膜を配置することにより、少なくとも陰極側濃縮室、脱塩室及び陽極側濃縮室を設け、各室にイオン交換体を充填してなる電気脱イオン装置を有する純水製造装置において、
通電を停止するか、または電流密度が１０００ｍＡ／ｄｍ２以下になるように通電制御した状態で該脱塩室に被処理水を通水し、該脱塩室内のイオン交換体によってイオン交換して該脱塩室から純水を流出させるイオン交換式純水製造運転モードの実行手段を備えたことを特徴とする純水製造装置。
【請求項２】
請求項１において、前記電気脱イオン装置は、
陰極と陽極との間に、第１のカチオン交換膜と、アニオン交換膜と、第２のカチオン交換膜とがこの順に配置され、
該陰極と第１のカチオン交換膜との間に濃縮室兼陰極室が設けられ、
第１のカチオン交換膜と該アニオン交換膜との間に脱塩室が設けられ、
該アニオン交換膜と第２のカチオン交換膜との間に濃縮室が設けられ、
該第２のカチオン交換膜と該陽極との間に陽極室が設けられてなる電気脱イオン装置であることを特徴とする純水製造装置。
【請求項３】
請求項１又は２において、前記脱塩室に、上流側からカチオン交換体とアニオン交換体とがこの順に交互に充填されていることを特徴とする純水製造装置。
【請求項４】
陽極と陰極との間にイオン交換膜を配置することにより、少なくとも陰極側濃縮室、脱塩室及び陽極側濃縮室を設け、各室にイオン交換体を充填してなる電気脱イオン装置を用いて純水を製造する方法において、
通電を停止するか、または電流密度が１０００ｍＡ／ｄｍ２以下になるように通電制御した状態で該脱塩室に被処理水を通水し、該脱塩室内のイオン交換体によってイオン交換して該脱塩室から純水を流出させるイオン交換式純水製造運転を行うことを特徴とする純水製造方法。
【請求項５】
請求項６において、前記被処理水は、市水、井水、又は工業用水を除濁処理及び脱塩素処理した水であることを特徴とする純水製造方法。
【請求項６】
請求項４又は５において、前記電気脱イオン装置は燃料電池発電装置の回収水の純化用であり、
該燃料電池発電装置の起動時に該電気脱イオン装置によってイオン交換式純水製造を行い、製造した純水を燃料電池発電装置に供給することを特徴とする純水製造方法。
【発明の詳細な説明】
【技術分野】
【０００１】
本発明は、純水製造装置に関する。好適には、本発明は、発電反応により生成した水蒸気および改質器における燃焼排ガス中の水蒸気の凝縮水を回収し、この回収水を水蒸気改質用の水蒸気源として使用するために、電気脱イオン装置を設けた燃料電池発電装置の純水製造装置に関する。また、本発明は、この純水製造装置を用いた純水製造方法に関する。
【背景技術】
【０００２】
燃料電池発電装置は、例えば都市ガス、ＬＰガス、メタノール等の原燃料ガスを、水蒸気改質して水素に富むガスに改質する改質器と、この改質器で得られた改質ガスを燃料として発電を行う燃料電池本体とを備えている。
【０００３】
改質器で生成した改質ガスは、燃料電池の負荷及び水素利用率に応じて、燃料電池内部で消費され、余剰の水素を含むガスはオフガス（燃料排ガス）として改質器へ導かれた上でバーナーで燃焼され、改質エネルギーとして消費されるように構成されることが多い。
【０００４】
第４図は、特開２００１−１７６５３５号の従来技術の欄に記載された、リン酸型燃料電池発電装置における水処理装置の基本的な系統図である。
【０００５】
燃料電池本体１は、リン酸電解質層を挟持する燃料極１ｂ及び空気極１ａからなる単位セルと、該単位セルを複数個重ねる毎に配設される冷却管を有する冷却板１ｃとを備えている。
【０００６】
改質器２は、原燃料供給系を経て供給される天然ガス等の原燃料を、水蒸気分離器５で分離されて水蒸気供給系を経て供給される水蒸気とともに、触媒層２ａの触媒の下で、バーナでのオフガス燃焼による燃焼熱により加熱して、水素に富むガスに改質して改質ガスを生成する。
【０００７】
改質器２で生成された上記改質ガスは、ＣＯ変成器４を有する改質ガス供給系を経由して燃料電池本体１の燃料極１ｂに供給される。燃料極１ｂから流出する、電池反応に寄与しなかった水素を含むオフガスは、オフガス供給系を経て改質器２のバーナに燃料として供給される。
【０００８】
また、改質器２のバーナへは、図示しない燃焼空気供給用のブロワが接続されている。改質器２から出た燃焼排ガスは、水回収用の凝縮器６へと送られ、水回収後、排出される。回収水は、回収水タンク７へ送られる。
【０００９】
また、燃料電池本体１には、空気極１ａに空気を供給するブロワ２３を備えた空気供給系と、電池反応後の水蒸気を含む空気を前記水回収用の凝縮器６へ供給する空気排出系とが接続されている。
【００１０】
燃料電池本体１の冷却板１ｃの冷却管には、燃料電池本体１の発電時に冷却水を循環するため、水蒸気分離器５、冷却水循環ポンプ２２を備えた冷却水循環系が接続されている。
【００１１】
前記水蒸気分離器５では、燃料電池本体１の冷却管から排出された水と蒸気との二相流を、水蒸気と冷却水とに分離する。ここで分離された水蒸気は、前記改質器２に向かう原燃料と混入するように送出される。その際、元圧の低い原燃料との混合を行うために、エゼクタポンプ３を使用している。このエゼクタポンプ３は、蒸気を駆動流体とするとともに、原燃料を被駆動流体とする。原燃料供給系は、一般に、図示しない脱硫器を備える。
【００１２】
上記のように、水蒸気改質には、純水が必要となる。また、りん酸型の燃料電池では、燃料電池の冷却水として、純水の加圧水を使用するのが一般的であり、その際、冷却水は、電気伝導度が低く、またシリカ等の鉱物系異物が少ない純水が使用される。
【００１３】
燃料電池の冷却には水以外の冷媒を用いる場合もあるが、少なくとも、改質器での改質用水蒸気として純水が消費される為、常時、純水を供給する必要がある。そのため、燃料電池の空気オフガスと改質器の燃焼排ガス中の水蒸気を、凝縮器により、凝縮水として回収した後、水純化装置に通水して純水化するのが一般的である。
【００１４】
この水純化装置としてイオン交換式水純化装置を用いる場合、一般的に電気伝導率が０．５〜１μＳ／ｃｍ以上になった時、２０００ｈ〜３０００ｈ程度の発電時間の間隔で水純化装置を交換する必要があり、煩雑な水純化装置の樹脂交換が必要となるとともに、樹脂再生コストが発生する問題があった。
【００１５】
そこで、第４図では、イオン交換式水純化装置に代えて、樹脂交換が不要な電気脱イオン装置１０を採用している。
【００１６】
この電気脱イオン装置１０の主要部は、イオン交換膜１０ｃにより、処理室１０ａと濃縮室１０ｂに分離されており、回収水タンク７からポンプ２０を介して導入された回収水の陰イオンおよび陽イオンは、それぞれアニオン交換膜およびカチオン交換膜を通過して濃縮室１０ｂに集まり、その後、濃縮排水として系外に排出されるように構成されている。その結果、処理室１０ａの出口側では連続的に純水が生成され、給水ポンプ２１により水蒸気分離器５へ送られる。
【００１７】
なお、処理室通水量を維持しつつ、純水供給量の変動に対応する目的で、ポンプ２０の吸込側へ処理水（純水）をリサイクルさせている。
【００１８】
この循環系に設けた逆止弁２４は、回収水タンク７中の回収水が、電気脱イオン装置１０を経由せずに、給水ポンプ２１を介して、直接、水蒸気分離器５に供給されるのを防止するためのものである。
【００１９】
濃縮排水は、処理室側通水量と比べて１／３程度と大幅に少ない為、濃縮室側系統にも、処理室側と同様に濃縮水循環ポンプ１０ｄを設けて、濃縮水をリサイクルさせることにより、濃縮室通水量を確保しながら、濃縮排水量を適正に確保するようにしている。
【００２０】
第４図においては、ミネラル除去装置９が電気脱イオン装置１０の入口側に設けられている。電気脱イオン装置１０はイオン交換膜を使用している為、電気脱イオン装置へ導入される処理水中のスケーリング物質は低濃度である必要があり、例えば、シリカは数ｐｐｍ以下が条件となっており、スケーリング物質除去のためにミネラル除去装置９が設けられる。
【００２１】
なお、この特開２００１−１７６５３５号の図２には、この電気脱イオン装置と並列にイオン交換式水純化装置を設け、電気脱イオン装置からの脱イオン水の水質が低下してきた場合にイオン交換式水純化装置に通水して水質悪化を回避する構成が記載されている。
【００２２】
ところで、本出願人は、電極間の印加電圧を低くしても、必要量の電流を流し、十分に膜イオン処理することができる電気脱イオン装置を特開２００４−８２０９２号にて提案している。
【特許文献１】特開２００１−１７６５３５号
【特許文献２】特開２００４−８２０９２号
【発明の開示】
【発明が解決しようとする課題】
【００２３】
上記第４図のように電気脱イオン装置において燃料電池発電装置回収水の水処理を行って純水を製造して燃料電池に供給する場合、燃料電池発電装置の運転立ち上げに際しては燃料電池発電装置からの排出水が無く純水を供給できない。上述のように電気脱イオン装置と並列にイオン交換式水純化装置を設けた場合には、このイオン交換式水純化装置によって純水を燃料電池発電装置に供給することが可能である。しかしながら、この場合には、電気脱イオン装置とイオン交換式水純化装置とを併設しなくてはならないため、設備が大掛りになると共に、コストも嵩む。
【００２４】
本発明は、電気脱イオン装置を用い、電気脱イオンによる純水製造と、イオン交換による純水製造とを実行できるようにすることを目的とする。
【課題を解決するための手段】
【００２５】
請求項１の純水製造装置は、陽極と陰極との間にイオン交換膜を配置することにより、少なくとも陰極側濃縮室、脱塩室及び陽極側濃縮室を設け、各室にイオン交換体を充填してなる電気脱イオン装置を有する純水製造装置において、通電を停止するかもしくは電流密度が１０００ｍＡ／ｄｍ２以下になるように通電制御した状態で該脱塩室に被処理水を通水し、該脱塩室内のイオン交換体によってイオン交換して該脱塩室から純水を流出させるイオン交換式純水製造運転モードの実行手段を備えたことを特徴とするものである。
【００２６】
請求項２の純水製造装置は、請求項１において、前記電気脱イオン装置は、陰極と陽極との間に、第１のカチオン交換膜と、アニオン交換膜と、第２のカチオン交換膜とがこの順に配置され、該陰極と第１のカチオン交換膜との間に濃縮室兼陰極室が設けられ、第１のカチオン交換膜と該アニオン交換膜との間に脱塩室が設けられ、該アニオン交換膜と第２のカチオン交換膜との間に濃縮室が設けられ、該第２のカチオン交換膜と該陽極との間に陽極室が設けられてなる電気脱イオン装置であることを特徴とするものである。
【００２７】
請求項３の純水製造装置は、請求項１又は２において、前記脱塩室に、上流側からカチオン交換体とアニオン交換体とがこの順に交互に充填されていることを特徴とするものである。
【００２８】
請求項４の純水製造方法は、陽極と陰極との間にイオン交換膜を配置することにより、少なくとも陰極側濃縮室、脱塩室及び陽極側濃縮室を設け、各室にイオン交換体を充填してなる電気脱イオン装置を用いて純水を製造する方法において、通電を停止するかもしくは電流密度が１０００ｍＡ／ｄｍ２以下となるように通電制御した状態で該脱塩室に被処理水を通水し、該脱塩室内のイオン交換体によってイオン交換して該脱塩室から純水を流出させるイオン交換式純水製造運転を行うことを特徴とするものである。
【００２９】
請求項５の純水製造方法は、請求項４において、前記被処理水は、市水、井水、又は工業用水を除濁処理及び脱塩素処理した水であることを特徴とするものである。
【００３０】
請求項６の純水製造方法は、請求項４又は５において、前記電気脱イオン装置は燃料電池発電装置の回収水の純化用であり、該燃料電池発電装置の起動時に該電気脱イオン装置によってイオン交換式純水製造を行い、製造した純水を燃料電池発電装置に供給することを特徴とするものである。
【発明の効果】
【００３１】
請求項１の純水製造装置及び請求項４の純水製造方法によると、電気脱イオン装置に充填されたイオン交換体を利用して、イオン交換による純水製造を行うことができる。従って、電気脱イオン装置とイオン交換装置とを併設することなくイオン交換処理による純水を供給することができる。また通電量を規定量以下に抑えることによって被処理水中に含まれるスケール生成の原因となるイオンが陰極やイオン交換樹脂の表面付近に濃縮しづらいため、陰極やイオン交換樹脂へのスケールの付着を防止することができる。
【００３２】
なお、イオン交換処理運転を行うことにより、電気脱イオン装置のイオン交換体にはナトリウムイオン、塩素イオン等のカチオンやアニオンが蓄積してくるが、これらのイオンは、その後、電気脱イオン装置を電気脱イオン処理運転したときに除去され、イオン交換体が再生される。
【００３３】
請求項２の純水製造装置に用いられている電気脱イオン装置は、上記特開２００４−８２０９２号に記載の電気脱イオン装置であり、電極間の印加電圧を低くしても十分に電気脱イオン処理された純水を製造することができる。
【００３４】
この電気脱イオン装置は、脱塩室が１室であり、且つこの脱塩室の両側にはそれぞれ陽極側濃縮室と陰極室兼濃縮室とが配置され、この陽極側濃縮室の隣りに陽極室が配置されているため、電極間距離が小さく、電極間の印加電圧が低い。
【００３５】
この電気脱イオン装置では、陽極側濃縮室とは別個に陽極室が設けられ、両者が第２のカチオン交換膜で隔てられているので、陽極側濃縮室から陽極室へのＣｌ−イオンの移動が阻止される。そのため、陽極室内で発生するＣｌ２は、陽極室内に導入された電極水中のＣｌ−にのみ由来するものとなるので、陽極室でのＣｌ２発生量が著しく少ない。このため、陽極室内に充填されたカチオン交換樹脂等の導電体や、陽極室に臨む第２のカチオン交換膜がＣｌ２によって劣化することが防止される。
【００３６】
イオン交換処理による純水製造のために被処理水が通水される脱塩室は、上流側からカチオン交換体とアニオン交換体とを交互に充填するのが好ましい。交互積層方式の長所については、後に図面を参照して詳述する。
【発明を実施するための最良の形態】
【００３７】
以下、図面を参照して実施の形態について説明する。第１図は実施の形態に係る電気式脱イオン装置の概略的な縦断面図である。
【００３８】
陰極３１と陽極３２との間に、第１のカチオン交換膜３３と、アニオン交換膜３４と、第２のカチオン交換膜３３’とを１枚ずつ配置し、陰極３１と第１のカチオン交換膜３３との間に濃縮室兼陰極室３５を形成し、第１のカチオン交換膜３３とアニオン交換膜３４との間に脱塩室３７を形成し、アニオン交換膜３４と第２のカチオン交換膜３３’との間に濃縮室４０を形成し、第２のカチオン交換膜３３’と陽極３２との間に陽極室３６を形成している。
【００３９】
濃縮室兼陰極室３５、及び陽極室３６にはそれぞれカチオン交換樹脂３８が充填されている。濃縮室４０にはアニオン交換樹脂３９が充填されている。脱塩室３７にはカチオン交換樹脂３８とアニオン交換樹脂３９とが流れ方向において交互に積層するように充填されており、最上流側にはカチオン交換樹脂が配置されている。
【００４０】
脱塩室３７の一端側には原水の流入口が設けられ、他端側には脱イオン水の流出口が設けられている。
【００４１】
陽極室３６の一端側には原水又は脱イオン水の流入口が設けられている。陽極室３６の流出水は濃縮室４０へその一端側から流入し、他端側から流出する。濃縮室４０の流出水は、濃縮室兼陰極室３５へその一端側から流入し、他端側から濃縮水兼陰極電極水として排出される。
【００４２】
純水供給効率を上げるためには、被処理水（前処理した市水等）の補給工程はできるだけ短時間で済ませて通常運転工程に戻すことが望ましい。従って、補給工程における被処理水の脱塩室への通水速度は高い方が好ましく、例えばＳＶ２０［ｈ−１］以上であることが好ましい。ただしＳＶ１００［ｈ−１］を超過すると、被処理水の脱塩が十分に行われなくなってしまうので、ＳＶは２０〜１００［ｈ−１］であることが好ましい。
【００４３】
このような通水速度で被処理水を脱塩室に供給するにあたり、脱塩室内のイオン交換樹脂は混床型や積層型であるので、被処理水の脱塩室への通水方向は下向流であることが好ましい。上向流で通水してしまうと、混床型や積層型に充填していた樹脂の配置が崩れてしまう恐れがあるので好ましくない。
【００４４】
各室３５，３７，４０，３６の流入口及び流出口には、弁を有した配管が接続され、この弁の開閉や流路切替により各室への通水が制御される。この弁の制御手段と、通電制御手段とによって、純水製造装置の運転実行手段が構成されている。この運転実行手段は、手動操作されてもよく、コンピュータ等によって操作されてもよい。
【００４５】
この電気脱イオン装置では、イオン交換樹脂の充填構造を積層型にすることにより、通電時の電気抵抗が小さくなるので、処理効率が向上し、装置の小型化を図ることができる。そのため混床型より積層型の方がより好ましい。また、この場合、積層型のアニオン樹脂、カチオン樹脂混合の各層は純粋なアニオン樹脂層やカチオン樹脂層であることが好ましいが、電圧が上がり過ぎない程度であればアニオンリッチの樹脂層やカチオンリッチの樹脂層であっても構わない。
【００４６】
また、積層型の場合、上流側からカチオン交換樹脂→アニオン交換樹脂→カチオン交換樹脂→アニオン交換樹脂→・・・の順番にする方が好ましい。アニオン交換樹脂が最上流であると、イオン交換処理運転モードにおいて生成したＯＨイオンが被処理水中に含まれるＭｇイオンと反応して、アニオン交換樹脂中にＭｇ(ＯＨ)２スケールが生成する恐れがあるからである。
【００４７】
次に、この装置の運転モードについて説明する。
【００４８】
＜電気脱イオン処理運転モード＞
この電気脱イオン処理運転モードの一態様にあっては、第１図の通り、通電した状態にて原水（凝縮水）を脱塩室３７に導入し、純水として取り出す。上記の通り、純水を陽極室３６に導入し、順次に濃縮室４０及び濃縮室兼陰極室３５に流通させる。原水中のカチオンは第１のカチオン交換膜３３を透過し、陰極電極水に混入して排出される。
【００４９】
なお、電気脱イオン運転を行う通水態様としては、第２図の通りとしてもよい。
【００５０】
この第２図では、原水（凝縮水）を脱塩室３７に通水し、脱塩室３７の流出水の主要部を純水として得、一部を分取し、それぞれ濃縮室兼陰極室３５、濃縮室４０及び陽極室３６に通水する。
【００５１】
＜イオン交換処理運転モード＞
この電気脱イオン装置を用い、イオン交換処理によって純水を製造するには、第３図の通り、通電を停止するかもしくは電流密度が１０００ｍＡ／ｄｍ２以下となるように通電制御した状態で、被処理水を脱塩室３７に通水し、その流出水を純水として得る。電流密度が１０００ｍＡ／ｄｍ２を超過すると陰極やイオン交換膜の表面にスケール発生の原因となるイオンが凝縮すると推定され、これにより陰極やイオン交換膜の表面にスケールが付着する恐れがあるので好ましくない。同様の理由で電流密度は６００ｍＡ/ｄｍ２以下であることがより好ましい。ただし通電を停止するのが確実にスケール発生を防止できる上に、通電量の制御が簡易となるため最も好ましい。
【００５２】
＜交互運転＞
上記のイオン交換による純水製造運転を行った後、電気脱イオンによる純水製造運転に戻る。これにより、イオン交換樹脂を電気的に再生することができる。
【００５３】
この電気脱イオン運転モードの途中で、燃料電池発電装置の純水保有量が低下してきた場合には、イオン交換運転を行って純水を補給し、次いで電気脱イオン運転モードに戻る。
【００５４】
＜燃料電池発電装置の純水供給システムとしての利用＞
この場合、電気脱イオン装置の現場据え付けに先立って、電気脱イオン装置を試運転し、各室のイオン交換樹脂を再生して電気脱イオン装置を立ち上げておくことが好ましい。
【００５５】
現場据え付け後、上記第３図のように通水して純水を製造し、この純水を用いて燃料電池発電装置を起動させる。起動後は、電気脱イオン装置を電気脱イオン運転する。
【００５６】
この起動時に電気脱イオン装置に供給する被処理水としては、市水、井水、工業用水等を前処理したものが好適であり、前処理としては少なくとも脱塩素処理と除濁処理を行うのが好ましく、具体的には例えば活性炭処理と、精密濾過又は限外濾過等の膜濾過とを行う。
【００５７】
＜その他の形態＞
上記電気脱イオン装置は、室３５，３７，４０，３６の４室構造となっているが、濃縮室兼陰極室、脱塩室、濃縮室兼陽極室の３室構造の電気脱イオン装置を用いてもよい。
【００５８】
現在ボイラーの供給水処理には、補給水処理として主に軟水器が、復水処理として純水装置が用いられている。本発明はこの両方の装置の機能を１台で具備することが可能である。すなわちボイラー用水補給時には市水を当発明で浄化処理した純水を補給し、ボイラー運転時での復水浄化でも本発明で純水を補給することが可能である。本発明を適用すれば、装置が小型化でき、また軟水器のための塩水補給、純水装置からの酸アルカリ再生廃水処理が不要になりこの結果環境負荷低減に貢献できる。
【実施例】
【００５９】
以下、実施例及び比較例について説明する。なお、この実施例及び比較例では４室構造の電気脱イオン装置を用い、第２図に示す通水方式で電気脱イオンによる純水製造を行った。また、実施例における市水浄化は第３図に示す通水方式で行った。
【００６０】
［実施例］
１）電気脱イオン装置の立ち上げ
抵抗率１ＭΩ・ｃｍの純水を２．３Ｌ／ｈで脱塩室に供給、脱塩室出口水のうち２Ｌ／ｈを生産水として得た。また残りの０．３Ｌ／ｈを３等分し、残りの各室に供給し、各出口水は排水した。電極に０．１Ａの直流電流を印加して通水を開始し、生産水が１６ＭΩ・ｃｍに達した時点で立ち上げ完了とした。
【００６１】
２）市水浄化（イオン交換処理）
必要な市水浄化を、脱塩室に充填したイオン交換樹脂で行った。
【００６２】
まず、市水を活性炭で脱塩素後、精密フィルターで除濁し、脱塩室に０．３Ｌ／ｈ供給した。この脱塩室の出口水の抵抗率を測定したところ概ね６ＭΩ・ｃｍと良好な水質であり、約１．０Ｌの純水が得られた。なお市水を浄化している間は、通電を停止した。
【００６３】
３）模擬凝縮水浄化（電気脱イオン処理）
原水として燃料電池から得られる凝縮水の模擬水を作成し、２）で市水を浄化した電気脱イオン装置にて電気脱イオン処理した。模擬液は塩化ナトリウムと炭酸ガスを純水に溶解し、電気伝導率が１ｍＳ／ｍ程度になるように調製した。
【００６４】
模擬水は脱塩室に供給し、直流電圧印加も含めて、上記１）の立ち上げ時と同様の条件で通水し、処理した。この結果市水浄化時と同等の６ＭΩ・ｃｍの水質を得ることができた。
【００６５】
模擬凝縮水の通水を約１週間継続させた。この間、良好な水質の純水を得た。
【００６６】
４）市水浄化、模擬凝縮水浄化の繰り返し
工程３）模擬凝縮水浄化の後、工程２）市水浄化と工程３）模擬凝縮水浄化を交互に実施、延べ５回繰り返した。５回繰り返すことで、市水浄化で得られる純水の量は徐々に低下したが、５回目で得られた純水量は１回目の概ね７０％程度であり実用的であった。
【００６７】
なお、模擬凝縮水を浄化して得られた純水水質はほぼ一定の６ＭΩ・ｃｍ程度と良好であり、また電気脱イオン機能は良好で、連続して純水を得ることができた。
【００６８】
［比較例］
電気脱イオン装置の脱塩室に充填しているのと同じ量の混床イオン交換樹脂約２０ｍＬを再生処理後カラムに充填し、本発明と同容量の市水、模擬凝縮水を供給して浄化性能を調べた。この結果、１回目の市水浄化後、模擬凝縮水浄化処理途中で破過し、使えなくなった。
【図面の簡単な説明】
【００６９】
【図１】４室構造の電気脱イオン装置の電気脱イオンによる純水製造運転例を示す系統図である。
【図２】図１の電気脱イオン装置の電気脱イオンによる別の純水製造運転例を示す系統図である。
【図３】図１の電気脱イオン装置を用いたイオン交換方式による純水製造運転例を示す系統図である。
【図４】従来例に係る燃料電池発電装置の系統図である。
【符号の説明】
【００７０】
３１  陰極
３２  陽極
３３  第１のカチオン交換膜
３３’  第２のカチオン交換膜
３４  アニオン交換膜
３５  濃縮室兼陰極室
３６  陽極室
３７  脱塩室
３８  カチオン交換樹脂
３９  アニオン交換樹脂
４０  濃縮室
【図１】
2008161761.tif 000003
【図２】
2008161761.tif 000004
【図３】
2008161761.tif 000005
【図４】
2008161761.tif 000006